(57)【要約】【課題】  金属製の内壁枠を用いた断熱内壁パネルを容易に且つ強固に固定できるとともに、気密性に優れた断熱内壁パネル固定構造を提供する。【解決手段】  取付孔３６が穿設された固定片３１に弾性気密材３７が設けられてなる固定プレート３０が、取付孔３６が穿設された固定片３１の一部を屋内側に突出させて前記金属製縦桟２０Ｔの下端を弾性気密材３７で密封するように取り付けられ、取付孔３６に挿通された固着具３３により該固定プレート３０が床材に固着し、また、各々取付孔４２を有する横桟取付板４３及び床取付板４４がＬ字状に形成されてなるＬ字プレート４０が、各取付孔４２に挿通された固着具３３により、床材に面した前記金属製横桟２０Ｙの屋内側と床材とに固着されたことにより金属製の内壁枠２０を用いた断熱内壁パネル１０を屋内側と屋外側とから容易に且つ強固に固定できる。【選択図】  図８
2006063693.tif 000002
【特許請求の範囲】
【請求項１】
金属製横桟と管状の金属製縦桟とが矩形に組み合わされた内壁枠の屋内側が防湿シートで密封されるとともに、該内壁枠の内側に断熱材が充填されてなる断熱内壁パネルを床材に固定する固定構造であって、
取付孔が穿設された固定片に弾性気密材が設けられてなる固定プレートが、取付孔が穿設された固定片の一部を屋内側に突出させて前記金属製縦桟の下端を弾性気密材で密封するように取り付けられ、取付孔に挿通された固着具により該固定プレートが床材に固着されたことを特徴とする断熱内壁パネル固定構造。
【請求項２】
前記固定プレートは、金属製縦桟の下端部を挟み込む狭持部を有することを特徴とする請求項１記載の断熱内壁パネル固定構造。
【請求項３】
前記狭持部は、前記金属製縦桟の下端部の肉厚分だけ離間して前記固定片から立設された一対の狭持板からなるものであることを特徴とする請求項２記載の断熱内壁パネル固定構造。
【請求項４】
前記狭持部は、前記金属製縦桟の下端部の屋内側を挟み込むものであることを特徴とする請求項３記載の断熱内壁パネル固定構造。
【請求項５】
各々取付孔を有する横桟取付板及び床取付板がＬ字状に形成されてなるＬ字プレートが、各取付孔に挿通された固着具により、床材に面した前記金属製横桟の屋内側と床材とに固着されたことを特徴とする請求項１乃至４のいずれかに記載の断熱内壁パネル固定構造。
【請求項６】
床材に面した前記金属製横桟と床材との間が目地用弾性気密材で密封されたことを特徴とする請求項１乃至５のいずれかに記載の断熱内壁パネル固定構造。
【発明の詳細な説明】
【技術分野】
【０００１】
本発明は、住宅等の建築物の内壁部に配設される断熱内壁パネルと床材との固定構造に関するものである。
【背景技術】
【０００２】
従来、住宅の内壁部は、躯体に断熱内壁パネルが順次取付けられ、該断熱内壁パネルに内壁ボード、壁紙等が設けられて構成されていた。図１０に示すように、前記断熱内壁パネル１は、縦桟２Ｔと横桟２Ｙとからなる矩形の内壁枠２に断熱材３が充填され、内壁枠２の内壁側には防湿シート４が貼付されてなるものである。また、前記内壁枠２の矩形構造を補強するために横桟２Ｙは縦桟２Ｔ間に複数架設されている。前記縦桟２Ｔ及び横桟２Ｙは各々木製のものであり、断熱内壁パネル１を床材に固定する際には、断熱内壁パネル１の一方側に貼付された防湿シート４の下端際部をカッター等で切断し、断熱内壁パネル１の下端の横桟２Ｙの上側から床材に向かって斜めにビス留めをし、床材への留め付け完了後は、切断した防湿シート４を補修用テープを用いて塞ぎ防湿性能を確保していた。しかし、図１１に示すように、木製の内壁枠２を床材に固定させる際、防湿シート４の一部を切断すると、施主の見た目に悪く不安感を与えてしまうことになる。また、横桟２Ｙの上側から床材に向かって固定具６を留め付ける際に防湿シート４を更に破損し易く、また、防湿シート４の切断箇所は補修テープを用いて塞いでいるが（図示しない）、補修作業は、作業者の技量によって防湿性等に差が生じ易く、防湿性能を一定に保つのが難しい。
【０００３】
従来より防湿シートを切断することなく断熱内壁パネルを床材に固定する先行技術としては、固定プレート等の部材を介して断熱内壁パネルと床材とを固定するものがあり、例えば、金属製の内壁枠の底面に固定プレートを設置し、該固定プレートと床材とをビス等で固定することによって断熱内壁パネルと床材を固定するもの（特許文献１参照）やＬ形のアングル部材を用いて縦枠部材と床材とを縦枠部材の内側から固定するもの（特許文献２参照）がある。
【０００４】
【特許文献１】特開２００１−３２４０５号公報
【特許文献２】特開平７−２８６３８６号公報
【発明の開示】
【発明が解決しようとする課題】
【０００５】
しかし、前述のように、固定プレートやＬ形のアングル部材を用い断熱内壁パネルや壁パネル等の枠体を床材に固定する従来の固定方法では、被固定箇所が枠体の底面と床材または、枠体の内側と床材だけであり固定強度に不安があった。また、管状の金属製縦桟を用いた断熱内壁パネルを床材に固定する場合、前記金属製縦桟の下端から湿気が入り、金属製縦桟の中空部が湿気の通り道となり結露が発生する原因となる。更に、固定プレートを用いて固定する際にはランナーの底面に固定するプレートやビス等の厚み分の隙間が断熱内壁パネルと床材との間に生じ易いという問題があった。
【０００６】
本発明は、これらの点に鑑みてなされたものであり、金属製の内壁枠を用いた断熱内壁パネルを容易に且つ強固に固定できるとともに、気密性に優れた断熱内壁パネル固定構造を提供することにある。
【課題を解決するための手段】
【０００７】
本発明に係る断熱内壁パネル固定構造によれば、金属製横桟と管状の金属製縦桟とが矩形に組み合わされた内壁枠の屋内側が防湿シートで密封されるとともに、該内壁枠の内側に断熱材が充填されてなる断熱内壁パネルを床材に固定する固定構造であって、取付孔が穿設された固定片に弾性気密材が設けられてなる固定プレートが、取付孔が穿設された固定片の一部を屋内側に突出させて前記金属製縦桟の下端を弾性気密材で密封するように取り付けられ、取付孔に挿通された固着具により該固定プレートが床材に固着されたことを特徴とする。
【０００８】
また、本発明は、前記固定プレートは、金属製縦桟の下端部を挟み込む狭持部を有することを特徴とする。
【０００９】
また、本発明は、前記狭持部は、前記金属製縦桟の下端部の肉厚分だけ離間して前記固定片から立設された一対の狭持板からなるものであることを特徴とする。
【００１０】
また、本発明は、前記狭持部は、前記金属製縦桟の下端部の屋内側を挟み込むものであることを特徴とする。
【００１１】
また、本発明は、各々取付孔を有する横桟取付板及び床取付板がＬ字状に形成されてなるＬ字プレートが、各取付孔に挿通された固着具により、床材に面した前記金属製横桟の屋内側と床材とに固着されたことを特徴とする。
【００１２】
また、本発明は、床材に面した前記金属製横桟と床材との間が目地用弾性気密材で密封されたことを特徴とする。
【発明の効果】
【００１３】
本発明に係る断熱内壁パネル固定構造によれば、取付孔が穿設された固定片に弾性気密材が設けられてなる固定プレートが金属製縦桟の下端開口に嵌挿されることにより、金属製縦桟の下端開口を密封し、取付孔に固着具を挿通することとしたので、断熱内壁パネルと床材を気密した状態で固定することができる。
【００１４】
また、本発明によれば、金属製縦桟の下端部を挟み込む狭持部を有し、該狭持部が前記金属製縦桟の肉厚分だけ離間して立設された一対の狭持板からなることとしたので、前記固定プレートを固定する際にビス等の固着具を用いる必要がなく取付け易い。
【００１５】
また、本発明によれば、前記狭持部が前記金属製縦桟の下端部の屋内側を挟み込み、各々取付孔を有する横桟取付板及び床取付板がＬ字状に形成されてなるＬ字プレートが、各取付孔に挿通された固着具により、前記金属製横桟の屋内側と固着され、夫々床材に固定されることとしたので、前記固定プレートと前記Ｌ字プレートで断熱内壁パネルを屋内側及び屋外側の両側から固定することにより、断熱内壁パネルを床材に強固に固定ができる。
【００１６】
また、本発明によれば、金属製縦桟の下端部に固定プレートを取付けた際に断熱内壁パネルと床材の間に生じる隙間に目地用弾性気密材を介設することとしたので、断熱内壁パネルの下端を容易に密封することができ、気密性に優れた断熱内壁パネルの固定ができる。
【発明を実施するための最良の形態】
【００１７】
以下、本発明の実施の形態について図面を用いて詳細に説明する。
図１に示すように、断熱内壁パネル１０は住宅等の軸組１３の屋内側に取付金具により取付されるものであり、本発明はこの断熱内壁パネル１０を床材に取付ける固定構造である。断熱内壁パネル１０の金属製縦桟２０Ｔが位置する下端部両端と、最下段の金属製横桟２０Ｙの位置する下端部中央とが床材と夫々固定されている。なお、断熱内壁パネル１０の屋内側には内壁ボード等が配設され、屋外側には外壁ボード等が配設されているが、本実施の形態においては、これらの説明は省略する。
【００１８】
断熱内壁パネル１０は、図２に示すように、２本の管状の金属製縦桟２０Ｔの間に金属製横桟２０Ｙが複数架設されてなる矩形の内壁枠２０の屋内側に防湿シート１１が貼設され、屋外側には断熱材１２が充填されてなるものである。
【００１９】
以下、各部の説明を行う。
図２に示すように、前記内壁枠２０を構成する金属製縦桟２０Ｔ及び金属製横桟２０Ｙは、各々アルミ等の金属からなり、管状である前記金属製縦桟２０Ｔと金属製横桟２０Ｙがビス等の周知の固着手段によって夫々が固着されて内壁枠２０形成している。なお、本実施の形態においては、前記内壁枠２０を構成する金属製縦桟２０Ｔ及び金属製横桟２０Ｙは、各々アルミ等の金属を用いるものとしているが、勿論、材質はこれに限定されず、内壁枠として必要な強度を確保できるものであれば、硬質樹脂等の他の縦桟及び横桟を採用してもよい。また、本実施の形態では、前記内壁枠２０は、強度を増加させるために矩形の枠体に複数の前記金属製横桟２０Ｙを架設しているが、これに代えて複数の金属製縦桟を架設して内壁枠２０を形成してもよい。また、前記金属製縦桟２０Ｔ及び金属製横桟２０Ｙの形状に関しても、上記のものに限定されず、公知の縦桟及び横桟の形状のものを用いてもよい。
【００２０】
防湿シート１１は、前記内壁枠２０の外形と同程度の大きさのものであり、アルミ及び合成樹脂のラミネートフィルム等、防湿性を有する素材からなるものが使用され、内壁枠２０へ貼付する手段として接着剤や両面テープ等防湿シート１１に穴を開けずに内壁枠２０に貼付できるものを用いることが好ましい。
【００２１】
断熱材１２は、グラスウール、ロックウール等の繊維状のものであり、押圧を受けることにより容易に変形可能なものである。また、該断熱材１２は、予め、内壁枠２０の該形と略同等の大きさにし、繊維が解けたりしないように袋体に詰められている。このように構成された断熱材１２は、打設中に前記袋体を破損する恐れのないスタッド溶接によって内壁枠２０に留め付けられ該内壁枠２０で四囲された空間内に充填される。
【００２２】
図３に示す固定プレート３０は、固定片３１の上面に弾性気密材３７が載設されてなるものであり、前記金属製縦桟２０Ｔの下端開口を気密し断熱内壁パネル１０の下端部両端と床材とを固定するものである。また、前記固定片３１と弾性気密材３７とは、接着剤や両面テープなどの接着手段によって固着されている。
【００２３】
固定片３１は、金属板からなり、図３及び図５に示すように、前記固定プレート３０を前記金属製縦桟２０Ｔに嵌挿したときの屋外側には狭持部３４が立設され、屋内側には取付孔３６が穿設されている。該取付孔３６は前記固定プレート３０を前記金属製縦桟２０Ｔに嵌挿した際に金属製縦桟２０Ｔの屋内側に突出した部分に形成される。前記突出した部分の突出長さに関しては、固定片３１の屋内側の端部が前記断熱内壁パネル１０の屋内側の面と面一になる程度にすることが好ましい。このようにすることによって、断熱内壁パネル１０を床材に固定する際に前記断熱内壁パネル１０の屋内側の下端を墨位置に合わせ易く、容易に通り出しができ、面一になることで見た目もよい。また、金属製縦桟２０Ｔの屋外側を挟み込む狭持部３４の長さは、特に限定するものではなく、使用する際及び持ち運ぶ際に便利な長さであればよい。また、前記狭持部３４は固定片３１に溶接固定することにより形成してもよく、固定片３１に切り込みを入れ、該切り込み箇所を金属製縦桟２０Ｔの肉厚だけ離間し夫々折曲し狭持部３４を形成してもよい。なお、本実施の形態では、狭持部３４は前記金属製縦桟２０Ｔの屋外側だけを挟み込むものとしているが、屋内側も挟み込めるような形状にしてもよい。また、前記２つの狭持部３４の段差幅３４ｄは、本実施の形態においては、前記金属製縦桟２０Ｔの肉厚と略同等としているが、狭持部３４の段差幅が先端に向かって若干細くなっているようなものでもよく、そうすることでより強固に狭持することが可能となる。
【００２４】
取付孔３６は、ビス等の固着具３３を挿通させるための孔であり、固定片３１の屋内側に突出した部分に形成されたもので、固着具３３の形状に対応した大きさとなっている。取付孔３６の数は、本実施の形態では一つとしているが、数は前記突出した部分に形成できれば限定しない。また、固着具３３は、ビスや釘等、周知の固着手段を用いることができる。
【００２５】
弾性気密材３７は、前記金属製縦桟２０Ｔの下端開口から湿気が侵入し中空部２２が湿気の通り道にならないように前記金属製縦桟２０Ｔの下端開口を密封するものであり、ポリエチレンやポリプロピレンなどの合成樹脂の発泡体からなるものである。前記弾性気密材３７の形状は、図５に示すように、前記金属製縦桟２０Ｔの中空部２２と断面形状が略同形若しくは若干大きめに形成されている。このようにすることで、変形容易な前記弾性気密材３７を前記金属製縦桟２０Ｔの下端開口から挿入した際に、前記弾性気密材３７が前記中空部２２を密封し、防湿性能が向上する。
【００２６】
図４は、Ｌ字プレート４０を示すものである。該Ｌ字プレート４０は、金属板からなり、該金属板を略Ｌ字に折曲させて横桟取付板４３と金属製の床取付板４４とを形成し、夫々の面に固着具３３を挿通させる取付孔４２を穿設している。そして、固着具３３が該取付孔４２に挿通され、金属製横桟２０Ｙと床材に螺合されることにより、断熱内壁パネル１０が床材に固定される。なお、前記Ｌ字プレート４０の長さは、金属製横桟２０Ｙと同程度の長さにすると、墨の位置が隠れて確認できなくなるため、断熱内壁パネル１０の下端で墨の位置が確認できるような長さにするのが好ましい。また、取付用孔４２の数は、前述したものだけに限らず、同様の機能が見込めるような形状、取付用孔の数であればよい。また、前記Ｌ字プレート４０は横桟取付板４３と床取付板４４とを溶接固定し形成してもよい。
【００２７】
目地用弾性気密材４１は、金属製横桟２０Ｙの底面と床面３９の間の隙間を密封し、前記金属製横桟２０Ｙの下端開口からの湿気の侵入を遮るためのものである。前記目地用弾性気密材４１は、前記弾性気密材３７と同様に、ポリエチレンやポリプロピレンなどの合成樹脂の発泡体からなるものである。弾性を有する気密材を使用することで、金属製横桟２０Ｙの底面と床面３９との間に生じる隙間にも気密材を埋め易く、また、隙間に圧入した後は圧縮された前記目地用弾性気密材４１が膨張し隙間が密封される。前記目地用弾性気密材４１の大きさは前記金属製横桟２０Ｙの底面の大きさと略同等でよい。なお、隙間を埋める目地用弾性気密材４１は、金属製横桟２０Ｙと床面３９の隙間に圧入してもよく、前記目地用弾性気密材４１に接着剤や両面テープなどの接着手段をつければ、予め金属製横桟２０Ｙの底面に貼付することもできる。
【００２８】
以下、本実施の形態に係る断熱内壁パネル１０の固定方法の一例を説明する。まず、図５に示すように、断熱内壁パネル１０の金属製縦桟２０Ｔの下端開口から、前記２つの段差幅を有する狭持部３４が前記金属製縦桟２０Ｔの屋外側を挟み込み、且つ、前記弾性気密材３７が前記金属製縦桟２０Ｔの中空部２２の下端開口に圧入されるように前記固定プレート３０を嵌挿する。このようにすることで、ビス等の固着具を使用することなく、容易に固定プレート３０の取付けができ、金属製縦桟２０Ｔの下端開口も密封できる。
【００２９】
次に、図６に示すように、床面３９に画かれた墨位置３８を確認しながら、断熱内壁パネル１０の屋内側の下端を墨位置３８に合わせ取付孔３６に固着具３３を挿通し、断熱内壁パネル１０と床材とを固定する。このように墨位置を確認しながら断熱内壁パネル１０を位置合わせできることにより、ぶれが生じ難く、正確に断熱内壁パネル１０を床材に固定することができる。
【００３０】
次に、図７に示すように、断熱内壁パネル１０の下端部中央に前記Ｌ字プレート４０を取付け、床材と固定する。具体的には、前記Ｌ字プレート４０の横桟取付板４３を断熱内壁パネル１０の下端の前記金属製横桟２０Ｙに取付孔４２に固着具３３を挿通して取付け、床取付板４４の取付孔４２に固着具３３を挿通して床材に取付ける。このことによって、断熱内壁パネル１０を床材と固定した際に、図８に示すように、断熱内壁パネル１０を下端部両端と下端部中央で床材と固定することになる。
【００３１】
また、図９（ａ）は図８の側面図の部分拡大図であり、固定プレート３０により断熱内壁パネル１０を固定した状態を示すである。図９（ｂ）は図８のＡ−Ａの断面図であり、Ｌ字プレート４０で断熱内壁パネル１０を固定した状態を示すものである。固定プレート３０で断熱内壁パネル１０の両端を床材に固定するだけでなく、Ｌ字プレート４０を用いて断熱内壁パネル１０と床材を固定することで、図９に示すように、断熱内壁パネル１０を屋外側と屋内側の両側で挟み込むように固定できることになり、より強固な固定をすることができる。
【００３２】
次に、目地用弾性気密材４１を断熱内壁パネル１０の下端の金属製横桟２０Ｙと床材の床面３９との間に圧入する。こうすることで、断熱内壁パネル１０に固定プレート３０を取付けた際に、前記固定プレート３０の肉厚分だけ断熱内壁パネル１０の下端の金属製横桟２０Ｙと床材との間に生じる隙間を密封することができ、前記隙間から湿気が侵入することを防止することができる。
【００３３】
なお、前述した固定方法は一例であり、前記Ｌ字プレート４０は、墨位置合わせをする前に断熱内壁パネル１０に取付けてもよく、墨位置に合わせ、固定プレート３０を床材に固定した後に取付けてもよい。また、前記目地用弾性気密材４１は、前述したように、予め金属製横桟２０Ｙの底面に貼付していておいてもよい。
【００３４】
以上説明したように、本発明に係る断熱内壁パネル固定構造によれば、固定プレート３０を断熱内壁パネル１０の金属製縦桟２０Ｔの下端開口から嵌挿し、前記断熱内壁パネル１０の下端部中央にＬ字プレート４０を取付け、夫々床材と固定することにより金属製の内壁枠２０を用いた断熱内壁パネル１０を屋内側と屋外側とから容易に且つ強固に固定できるとともに、気密性に優れた断熱内壁パネル固定構造を提供することができる。
【産業上の利用可能性】
【００３５】
本発明は、例えば、住宅等の建築物の内壁部に配設される金属製内壁枠を用いた断熱内壁パネルを床面３９と固定する際に適用することができる。
【図面の簡単な説明】
【００３６】
【図１】住宅の軸組１３に断熱内壁パネル１０が取付けられた状態を示す概略図である。
【図２】床材に固定された断熱内壁パネル１０を示す斜視図である。
【図３】固定プレート３０を示す斜視図である。
【図４】Ｌ字プレート４０を示す斜視図である。
【図５】金属製内壁枠２０に固定プレート３０を嵌挿する状態を示す説明図である。
【図６】断熱内壁パネル１０が床材に固定された状態を示す説明図である。
【図７】断熱内壁パネル１０の下端部の金属製横桟２０Ｙが床材に固定された状態を示す説明図である。
【図８】図１の部分拡大図である。
【図９】（ａ）は図８の矢印Ａ側からの側面図の部分拡大図であり、（ｂ）は図８のＢ−Ｂの断面図である。
【図１０】木製内壁枠を用いた断熱内壁パネル１の説明図である。
【図１１】木製内壁枠を用いた断熱内壁パネル固定構造の従来技術を示す説明図である。
【符号の説明】
【００３７】
１０  断熱内壁パネル
１１  防湿シート
１２  断熱材
２０  内壁枠
２０Ｔ  金属製縦桟
２０Ｙ  金属製横桟
３０  固定プレート
３１  固定片
３６、４２  取付孔
３７  弾性気密材
３３  固着具
４０  Ｌ字プレート
４１  目地用弾性気密材
【図１】
2006063693.tif 000003
【図２】
2006063693.tif 000004
【図３】
2006063693.tif 000005
【図４】
2006063693.tif 000006
【図５】
2006063693.tif 000007
【図６】
2006063693.tif 000008
【図７】
2006063693.tif 000009
【図８】
2006063693.tif 000010
【図９】
2006063693.tif 000011
【図１０】
2006063693.tif 000012
【図１１】
2006063693.tif 000013